(57)【要約】【課題】  従来の遊技機の球戻り防止装置における問題を解消し、戻り球を遊技領域の入賞の可能性の高い方向へ再び導くことが可能な球戻り防止装置を備えた遊技機の提供を課題とする。【解決手段】  発射装置により発射された遊技球Ｑを誘導領域１３の飛び出し口１４から遊技領域２に飛び出させて遊技領域２での遊技に供すると共に、前記遊技領域２に一旦飛び出した遊技球Ｑが前記誘導領域１３に逆戻りするのを防止するための戻り球制止片１１０を備えた球戻り防止装置１００を前記飛び出し口１４付近に備えた遊技機であって、前記球戻り防止装置１００の戻り球制止片１１０の下部に、該戻り球制止片１１０で制止されて落下してくる遊技球Ｑをその重力を利用して遊技領域２の中央方向へ誘導する誘導手段１３０を設けた。【選択図】      図１
2006136393.tif 000002
【特許請求の範囲】
【請求項１】
発射装置により発射された遊技球を誘導領域の飛び出し口から遊技領域に飛び出させて遊技領域での遊技に供すると共に、前記遊技領域に一旦飛び出した遊技球が前記誘導領域に逆戻りするのを防止するための戻り球制止片を備えた球戻り防止装置を前記飛び出し口付近に備えた遊技機であって、前記球戻り防止装置の戻り球制止片の下部に、該戻り球制止片で制止されて落下してくる遊技球をその重力を利用して遊技領域の中央方向へ誘導する誘導手段を設けたことを特徴とする球戻り防止装置を備えた遊技機。
【請求項２】
誘導手段は、戻り球制止片の下部に設けられ、落下してくる遊技球をその重力を利用してガイドし、遊技領域の中央方向へ方向を変更して誘導するガイドスリーブであることを特徴とする請求項１に記載の球戻り防止装置を備えた遊技機。
【請求項３】
戻り球制止片の逆戻りしてきた遊技球を受ける側の面に、遊技球の衝突による衝撃を吸収する衝撃吸収手段を施してあることを特徴とする請求項１又は２に記載の球戻り防止装置を備えた遊技機。
【発明の詳細な説明】
【技術分野】
【０００１】
本発明は遊技領域に一旦飛び出した遊技球が飛び出し口から誘導領域に逆戻りするのを防止する球戻り防止装置を備えた遊技機に関する。
【背景技術】
【０００２】
従来、誘導領域を介して遊技領域へ打ち込まれた遊技球が誘導領域へ逆行する、いわゆる球戻りを防止する球戻り防止装置を備えた遊技機が提供されている。球戻り防止装置は、誘導領域から飛び出し口を経て遊技領域へ飛び出す遊技球に対しては極力その方向や力を変えないようにスムーズに打ち出すことができ、逆に遊技領域から飛び出し口を経て誘導領域に逆行しようとする遊技球に対してはこれを制止して防止する構成となされている。
従来の球戻り防止装置としては、例えば実開平６−４８７６２号公報には重錘部を含む保持基体と金属舌片で構成されたもの、特開２００３−３３９９９６号公報には誘導領域を形成する内レールに直接金属製の弾性帯板を取り付けたものが公開されている。
また特開２０００−２２５２３６号公報（段落００１３、００１４）には、阻止部材１０の一部を曲面とすることで、阻止部材１０で弾かれた遊技球が遊技盤面５の中央側へ向かい易いようにしたものがある。
【特許文献１】実開平６−４８７６２号公報
【特許文献２】特開２００３−３３９９９６号公報
【特許文献３】特開２０００−２２５２３６号公報
【発明の開示】
【発明が解決しようとする課題】
【０００３】
しかし上記特許文献１、２の装置では、逆行してきた遊技球は打ち出されたときよりかなり勢いが弱まっているため、球戻り防止装置により逆行を制止された遊技球は、殆どその場から真下方向の入賞の可能性の比較的低い領域に向けて流下せざるを得ないものであった。よって遊技者は、戻り球となった遊技球に対しては入賞への期待を捨てざるを得ないため、興趣の低下を招くという問題があった。
また上記文献３の装置においては、阻止部材１０の阻止部１１と錘部１２とが一体形成されているので、通常時に阻止部材１０に抗して打ち出される遊技球に大きなストレスがかかってしまう問題がある。また文献３のような阻止部材１０では、曲面部で逆戻りしてきた遊技球を弾き返すものであるが、良好に弾き返すには曲面範囲が十分にあるとは言えなかった。
【０００４】
そこで本発明は上記従来の遊技機の球戻り防止装置における問題を解消し、戻り球を遊技領域の入賞の可能性の高い方向へ再び導くことが可能な球戻り防止装置を備えた遊技機の提供を課題とする。
【課題を解決するための手段】
【０００５】
上記課題を達成するため、本発明の球戻り防止装置を備えた遊技機は、発射装置により発射された遊技球を誘導領域の飛び出し口から遊技領域に飛び出させて遊技領域での遊技に供すると共に、前記遊技領域に一旦飛び出した遊技球が前記誘導領域に逆戻りするのを防止するための戻り球制止片を備えた球戻り防止装置を前記飛び出し口付近に備えた遊技機であって、前記球戻り防止装置の戻り球制止片の下部に、該戻り球制止片で制止されて落下してくる遊技球をその重力を利用して遊技領域の中央方向へ誘導する誘導手段を設けたことを第１の特徴としている。
また本発明の球戻り防止装置を備えた遊技機は、上記第１の特徴に加えて、誘導手段は、戻り球制止片の下部に設けられ、落下してくる遊技球を、その重力を利用してガイドし、遊技領域の中央方向へ方向を変更して誘導するガイドスリーブであることを第２の特徴としている。
また本発明の球戻り防止装置を備えた遊技機は、上記第１又は第２の特徴に加えて、戻り球制止片の逆戻りしてきた遊技球を受ける側の面に、遊技球の衝突による衝撃を吸収する衝撃吸収手段を施してあることを第３の特徴としている。
【発明の効果】
【０００６】
請求項１に記載の球戻り防止装置を備えた遊技機によれば、誘導領域の飛び出し口から一旦遊技領域に飛び出した遊技球が再び飛び出し口へ逆戻りしてくると、球戻り防止装置の戻り球制止片が遊技球を制止する。制止された遊技球は下方へ落下して行くが、この際、誘導手段が落下してくる遊技球の重力を利用して、これを遊技領域の中央方向へ方向を変更して誘導する。
よって請求項１に記載の球戻り防止装置を備えた遊技機によれば、誘導手段を設けることにより、遊技領域から逆戻りして制止され、落下する遊技球を、その重力を利用して再び遊技領域の中央方向へ復帰させることができる。これにより遊技者は、一旦飛び出し口の方へ逆戻りして入賞の期待を損ねた遊技球に対しても、再び入賞への期待を得ることができる。
【０００７】
また請求項２に記載の球戻り防止装置を備えた遊技機によれば、上記請求項１に記載の構成による効果に加えて、遊技領域から逆戻りしてきた遊技球は戻り球制止片によって制止され、そして下方へ落下する際にガイドスリーブにガイドされて、その方向を遊技領域の中央方向へ変更して誘導される。
よって請求項２に記載の球戻り防止装置を備えた遊技機によれば、誘導手段としてガイドスリーブを設けることにより、遊技領域から逆戻りして制止され、落下する遊技球を、その重力を利用して再び遊技領域の中央方向へ容易に、簡単に復帰させることができる。これにより遊技者は、一旦飛び出し口の方へ逆戻りして入賞の期待を損ねた遊技球に対しても、再び入賞への期待を得ることができる。
【０００８】
また請求項３に記載の球戻り防止装置を備えた遊技機によれば、上記請求項１又は２に記載の構成による効果に加えて、戻り球制止片の逆戻りしてきた遊技球を受ける側の面に、遊技球の衝突による衝撃を吸収する衝撃吸収手段を施したので、遊技領域から飛び出し口へ逆戻りしてきた遊技球は、戻り球制止片によって中途半端に弾かれることなく制止される結果、その制止された位置からスムーズに下方に落下され、誘導手段による誘導の対象に確実になる。
よって請求項３に記載の球戻り防止装置を備えた遊技機によれば、逆戻りしてきた遊技球をより容易に、確実に遊技領域の中央方向へ誘導し、復帰させることができる。
【発明を実施するための最良の形態】
【０００９】
以下の図面を参照して、本発明の第１の実施形態を説明する。
図１〜図９は本発明の第１の実施形態の遊技機に係り、図１はパチンコ遊技機の遊技盤の正面図、図２はパチンコ遊技機の球戻り防止装置の側面図、図３はパチンコ遊技機の球戻り防止装置の正面図、図４は球戻り防止装置の分解斜視図である。図５、図６は球戻り防止装置の斜視図である。図７〜図９は遊技盤の球戻り防止装置付近の拡大図で、図７は遊技球が逆戻り途上にある状態を示し、図８は逆戻りしてきた遊技球を戻り球制止片が制止した状態を示し、図９は制止されて落下してきた遊技球を誘導手段が遊技領域の中央方向へ誘導する状態を示す。
【００１０】
先ず図１を参照して、パチンコ遊技機の遊技盤１の中央には、遊技領域２が外レール３と内レール４を壁として外から区切られて略円形状の領域に構成されている。遊技領域２の中央付近には図柄等を変動表示することができるセンターケース５が設けられ、その下方には前記図柄等の変動を開始させる契機を与える始動入賞装置６が設けられている。また遊技領域２には、遊技球が通過するゲート７、普通入賞装置８、大入賞装置９、アウト口１０、風車１１、一部だけ図示した釘１２等の遊技要素が設けられている。
図示しない発射装置により発射された遊技球Ｑは、外レール３と内レール４との間に構成された誘導領域１３を通って、飛び出し口１４から遊技領域２に飛び出し、遊技に供される。球技球Ｑは遊技領域２内をその上部から下方へと遊技盤１面上を流下し、始動入賞装置６や普通入賞装置８、大入賞装置９に入賞し、入賞を逃した遊技球はアウト口１０に入る。入賞装置６、８、９に入賞すると、遊技球の払い出し等の所定の報償を受けることができる。
前記遊技盤１の左右両肩部には遊技領域２の外側に枠ランプ１５が設けられている。
【００１１】
遊技領域２の左斜め上部の前記飛び出し口１４付近に、本発明に係る球戻り防止装置１００を配置している。
図２〜６も参照して、球戻り防止装置１００は、戻り球制止片１１０と、揺動基体１２０と、誘導手段を構成するガイドスリーブ１３０とを有する。
【００１２】
前記戻り球制止片１１０は、飛び出し口１４に配される部材で、金属製等の帯板片で形成され、基端側の取付端部１１０ａを前記揺動基体１２０によって片持ち固定され、上端側はフリーとなっている。
戻り球制止片１１０の先端部は、飛び出し口１４の位置に対応する外レール３に対して少しの間隙をもって配置されている。この間隙は遊技球Ｑの直径よりも小寸法として、飛び出し口１４に逆戻りしてくる遊技球Ｑが誘導領域１３内に入るのを阻止できるようになされている。
【００１３】
前記揺動基体１２０は合成樹脂等で形成させると共に、前記戻り球制止片１１０の取り付け姿勢を定めるガイド溝１２１ａと軸孔１２１ｂとを形成した軸受部１２１と、前記戻り球制止片１１０を通常時において起立姿勢に維持するための錘部１２２とを有する。そして前記軸受部１２１の軸孔１２１ｂに軸釘１２３が差し込まれて遊技盤１に固定されることで、該軸釘１２３を中心に揺動基体１２０が揺動可能に保持される。
前記錘部１２２には、戻り球制止片１１０の前記取付端部１１０ａを嵌入して取り付け固定するための取付部１２２ａが形成されている。
【００１４】
前記誘導手段を構成するガイドスリーブ１３０は、戻り球制止片１１０のうち、遊技領域２から逆戻りしてくる遊技球が当たる面側において、戻り球制止片１１０の下部に設けられる。
第１の実施形態におけるガイドスリーブ１３０は、戻り球制止片１１０の一部として一体的に形成されている。即ち、金属製等の帯板を折り曲げて背中合わせ板に構成し、この背中合わせ板の一方を下方に延長すると共に前方へ次第に湾曲するスリーブにして構成している。背中合わせ板の他方は、その下部を多少の角度をつけて折り曲げて、その先端を丸めて前記取付端部１１０ａとしている。
前記ガイドスリーブ１３０の湾曲状態は垂下方向から斜め下方の方向へ、滑り台のように、滑らかに構成されている。従って戻り球制止片１１０で制止され、落下してくる遊技球Ｑはガイドスリーブ１３０によってガイドされ、落下方向を真下方向から斜め下前方向へと変更される。ガイドスリーブ１３０から斜め下前方向に飛び出した遊技球Ｑは、遊技領域２の中央方向へ復帰することになる。即ち、遊技球Ｑがガイドスリーブ１３０によってガイドされ、遊技領域２の中央方向へ誘導されるのである。
前記ガイドスリーブ１３０の湾曲状態は、垂下方向から水平方向近くまで滑らかに湾曲するようにしてもよい。
【００１５】
上記した第１の実施形態の構成による作用を説明する。
図示しない発射装置から発射された遊技球Ｑは、誘導領域１３を通って飛び出し口１４から、戻り球制止片１１０を僅かに変形乃至動かしながら遊技領域２に飛び出す。
図７は遊技球Ｑが未だ逆戻り途上にある状態、即ち球戻り防止装置１００が遊技球Ｑの作用を何ら受けていない状態を示す。この状態では、揺動基体１２０の錘部１２２の作用により、戻り球制止片１１０が前記外レール３から少し離間した状態で、飛び出し口１４をほぼ閉止している。
遊技領域２に一旦飛び出した遊技球Ｑが、釘１２等に当たる結果、再び飛び出し口１４に逆行すると、遊技球Ｑが戻り球制止片１１０に当たってこれを後退方向（図面上で反時計方向）に僅かに回動させながら、遊技球Ｑ自らは制止されて、図８に示すような状態となる。
逆戻りを制止された遊技球Ｑは、若干後退して傾いた戻り球制止片１１０に沿って落下し、引き続いてガイドスリーブ１３０によってガイドされる結果、落下方向を下方から斜め下前方に変更され、その落下（流下）軌道が遊技領域２の中央方向になるように誘導される（図９）。
【００１６】
更に図１を参照して詳述すると、従来の装置では、球の逆戻りを制止された遊技球Ｑは球戻り防止装置１１０の直下からそのままＢ領域へ流下するしかなかった。しかもこのＢ領域に至る軌道においては、遊技球Ｑが重要な入賞口である始動入賞装置６へ入賞する可能性は極めて低い状態であった。
これに対して第１の実施形態の球戻り防止装置１００では、飛び出し口１４への逆戻りを制止された遊技球Ｑは、ガイドスリーブ１３０により、落下方向を斜め下前方へと変更されて誘導されることにより、遊技球Ｑの軌道はＡ領域へ流下する軌道となる。このため始動入賞装置６へ入賞する可能性が高くなる。
即ち、第１の実施形態の球戻り防止装置１００を設けることによって、従来は入賞の期待が持てなかった逆戻り球に対しても入賞の期待を遊技者に与えることができ、興趣の向上に資することができるのである。
【００１７】
本発明の第２の実施形態を、図１０を参照して説明する。
図１０は第２の実施形態に係るパチンコ遊技機の球戻り防止装置の斜視図である。
なお第２の実施形態のパチンコ遊技機において、第１の実施形態のパチンコ遊技機における部材、要素と同一の機能を果たす部材、要素については、同一の符号を付して説明を省略する。
第２の実施形態においては、球戻り防止装置１００の戻り球制止片１１０に、衝撃吸収手段として衝撃吸収部材１４０を施してある。衝撃吸収部材１４０は、例えばシートとして、戻り球制止片１１０の逆戻りしてきた遊技球Ｑを受ける面に貼り付けて構成することができる。また衝撃吸収部材１４０を戻り球制止片１１０の逆戻りしてきた遊技球Ｑを受ける面にコーティングするなどして構成することができる。勿論、２枚の部材を背中合わせにして構成した戻り球制止片１１０の一方の部材全体を衝撃吸収部材１４０で構成するようにしてもよい。
【００１８】
第２の実施形態の装置においては、遊技領域２から逆戻りしてきた遊技球Ｑは戻り球制止片１１０に当たって制止されるが、この際に衝撃吸収部材１４０により衝撃が吸収される。その結果、ほとんど反発することなくその位置からそのまま下方に落下し、誘導手段であるガイドスリーブ１３０による誘導の対象に確実になる。よって遊技球Ｑは、ガイドスリーブ１３０によって確実に遊技領域２の中央方向へ導かれる。
【００１９】
上記した第１、第２の実施形態ではパチンコ遊技機としたが、本発明の遊技機はパチンコ遊技機の他、発射された遊技球が誘導領域を経て飛び出し口から遊技領域に飛び出し、その遊技球が遊技領域を流下することで遊技が構成されるような遊技機にも適応するものである。
また上記において、誘導手段であるガイドスリーブ１３０は、必ずしも戻り球制止片１１０と一体成形される必要はなく、別体に構成したガイドスリーブ１３０を後から戻り球制止片１１０に一体に取り付けるようにしてもよい。
また誘導手段は必ずしもガイドスリーブである必要はない。要するに、戻り球制止片１１０の下部にあって、落下してくる遊技球Ｑを、その重力を利用して球技領域２の中央方向へ誘導するものであればよい。
また上記衝撃吸収手段は必ずしも衝撃吸収部材１４０である必要はない。例えば戻り球制止片１１０の表面を、衝撃が吸収し易い状態にした加工処理であってもよい。衝撃吸収手段は、要するに逆戻りしてきた遊技球Ｑを受けた際に、その衝撃を吸収して跳ね返らないようにする手段を含む概念である。
【図面の簡単な説明】
【００２０】
【図１】本発明の第１の実施形態に係るパチンコ遊技機の遊技盤の正面図である。
【図２】第１の実施形態に係るパチンコ遊技機の球戻り防止装置の側面図である。
【図３】第１の実施形態に係るパチンコ遊技機の球戻り防止装置の正面図である。
【図４】第１の実施形態に係るパチンコ遊技機の球戻り防止装置の分解斜視図である。
【図５】第１の実施形態に係るパチンコ遊技機の球戻り防止装置の斜視図である。
【図６】第１の実施形態に係るパチンコ遊技機の球戻り防止装置の斜視図である。
【図７】第１の実施形態に係るパチンコ遊技機の遊技盤の球戻り防止装置付近の拡大図で、遊技球が逆戻り途上にある状態を示す。
【図８】第１の実施形態に係るパチンコ遊技機の遊技盤の球戻り防止装置付近の拡大図で、逆戻りしてきた遊技球を戻り球制止片が制止した状態を示す。
【図９】第１の実施形態に係るパチンコ遊技機の遊技盤の球戻り防止装置付近の拡大図で、制止されて落下してきた遊技球を誘導手段が遊技領域の中央方向へ誘導する状態を示す。
【図１０】本発明の第２の実施形態に係るパチンコ遊技機の球戻り防止装置の斜視図である。
【符号の説明】
【００２１】
１        遊技盤
２        遊技領域
３        外レール
４        内レール
５        センターケース
６        始動入賞装置
７        ゲート
８        普通入賞装置
９        大入賞装置
１０      アウト口
１１      風車
１２      釘
１３      誘導領域
１４      飛び出し口
１５      枠ランプ
１００    球戻り防止装置
１１０    戻り球制止片
１１０ａ  取付端部
１２０    揺動基体
１２１    軸受部
１２１ａ  ガイド溝
１２１ｂ  軸孔
１２２    錘部
１２２ａ  取付部
１２３    軸釘
１３０    ガイドスリーブ
１４０    衝撃吸収部材
Ａ、Ｂ    領域
Ｑ        遊技球
【図１】
2006136393.tif 000003
【図２】
2006136393.tif 000004
【図３】
2006136393.tif 000005
【図４】
2006136393.tif 000006
【図５】
2006136393.tif 000007
【図６】
2006136393.tif 000008
【図７】
2006136393.tif 000009
【図８】
2006136393.tif 000010
【図９】
2006136393.tif 000011
【図１０】
2006136393.tif 000012